(57)【要約】【課題】  簡単な操作で入力が可能な「操作装置及びそれを備えるナビゲーション装置」を提供する。【解決手段】  所定角度ずつの回転操作が可能なジョグダイヤル２と、ジョグダイヤル２の入力に従った制御を行なう制御装置７とを有し、制御装置７は、ジョグダイヤル２の左右いずれか一方向への回転数をカウントしてカウント値を入力候補とする。また、逆方向への回転操作によって入力候補を確定させる。従って、簡単な操作で入力を行なうことができる。【選択図】        図３
2006209526.tif 000002
【特許請求の範囲】
【請求項１】
所定角度ずつの回転操作が可能な操作部と、
前記操作部の入力に従った制御を行なう制御部とを有し、
前記制御部は、左右いずれか一方向への前記回転操作の回転数をカウントして該カウント値を入力候補とし、逆方向への前記回転操作によって前記入力候補を確定させることを特徴とする操作装置。
【請求項２】
前記制御部は、前記逆方向に前記回転操作されたタイミングで、新たな回転数のカウントを開始することを特徴とする請求項１記載の操作装置。
【請求項３】
前記操作部は、所定方向への傾斜操作が可能であり、
前記制御部は、前記所定方向への傾斜操作によって前記入力候補をクリアし、新たな回転数のカウントを開始することを特徴とする請求項１又は２記載の操作装置。
【請求項４】
前記操作部は、所定方向への傾斜操作が可能であり、
前記制御部は、前記所定方向への傾斜操作によって前記カウント値を変更することを特徴とする請求項１から３のいずれか１項記載の操作装置。
【請求項５】
請求項１から４のいずれか１項に記載の操作装置を備えたことを特徴とするナビゲーション装置。
【発明の詳細な説明】
【技術分野】
【０００１】
本発明は、様々な操作入力が可能な操作装置及びそれを備えたナビゲーション装置に関する。
【背景技術】
【０００２】
近年、車両にはカーナビゲーション装置、テレビなど画像を表示する機器が搭載されるようになってきた。さらには、ハンズフリーにて通話可能な電話器や表示装置等を備えることによって電子メールの送受信も可能となり、車両に搭載される機器が多種多用になってきた。
【０００３】
同時にこれらの機器の操作も煩雑化し、必ずしもユーザの使い勝手が良いものにはなっていない。そのため、極力操作スイッチの数を減らし、集約化して操作性を向上させるために様々な操作装置が開発されてきた（例えば、特許文献１参照）。
【０００４】
例えば、回転操作と押圧操作とが可能なマルチジョグコマンダが知られている。マルチジョグコマンダ１は、図１に示すように左右に回動自在なジョグダイヤル２と、このジョグダイヤル２の上面に設けられ、押圧操作とレバー操作が可能な操作レバー３とを有している。図２には、マルチジョグコマンダ１と、このマルチジョグコマンダ１の入力によって表示を切り換える表示装置とが示されている。マルチジョグコマンダ１の操作によって表示装置のカーソル４の位置が変更され、そのカーソル位置の数値が入力される。
【０００５】
ジョグダイヤル２は、略円盤状の形状をしており、回動する際にクリック感を有して所定の位置に静止可能な機構を備えている。また操作レバー３は、レバーを押し込む押圧操作と、上、下、左、右、左斜上、右斜上、左斜下、右斜下の８方向へのレバー操作が可能な機構を備えている。
【０００６】
このような機構を備えるマルチジョグコマンダにより例えば、「２８１９」と入力する場合、以下の手順で行なうことになる。
【０００７】
まず、ジョグダイヤル２を「右に１回転」又は操作レバー３を「右操作を１回」行なう。カーソルのデフォルト位置は「１」とする。このため、ジョグダイヤル２を「右に１回転」又は操作レバー３の「右操作を１回」によって、図２に示すカーソル４が「２」の位置に移動する。カーソル４が「２」の位置に移動すると、操作レバー３の押圧により「２」を確定させる。
【０００８】
次に、ジョグダイヤル２を「右に６回転」又は操作レバー３を「右操作を１回と、下操作を１回」行なう。カーソル４は「２」の位置にあるので、ジョグダイヤル２を「右に６回転」又は操作レバー３を「右操作を１回と、下操作を１回」操作することでカーソル４が「８」の位置に移動する。カーソル４が「８」の位置に移動すると、操作レバー３の押圧により、「８」を確定させる。
【０００９】
以下、同様の操作により、「１」、「９」の位置にカーソル４を合わせ、操作レバー３の押圧により数字を確定させる。
【００１０】
また、入力した値を修正する時には、ジョグダイヤル２又は操作レバー３を操作して消去したい数字の位置にカーソルを移動させ、操作レバー３の押圧操作により１文字消去しなければならない。
【００１１】
【特許文献１】特開２００４−１９２０７９号公報
【発明の開示】
【発明が解決しようとする課題】
【００１２】
しかしながら、上述したようにマルチジョグコマンダを用いた入力は、操作回数が多く煩雑である。
【００１３】
本発明は上記事情に鑑みてなされたものであり、簡単な操作で入力が可能な操作装置及びそれを備えるナビゲーション装置を提供することを目的とする。
【課題を解決するための手段】
【００１４】
かかる目的を達成するために本発明の操作装置は、所定角度ずつの回転操作が可能な操作部と、前記操作装置の入力に従った制御を行なう制御部とを有し、前記制御部は、左右いずれか一方向への前記回転操作の回転数をカウントして該カウント値を入力候補とし、逆方向への回転操作によって前記入力候補を確定させる構成を備えている。従って、簡単な操作で入力を行なうことができる。
【００１５】
上記操作装置において、前記制御部は、前記逆方向に回転操作されたタイミングで、新たな回転数のカウントを開始するとよい。従って、簡単な操作で連続入力が可能となる。
【００１６】
上記操作装置において、前記操作部は、所定方向への傾斜操作が可能であり、前記制御部は、前記所定方向への傾斜操作によって前記入力候補をクリアし、新たな回転数のカウントを開始するとよい。従って、誤入力した時の修正を簡単に行なうことができる。
【００１７】
上記操作装置において、前記操作部は、所定方向への傾斜操作が可能であり、前記制御部は、前記所定方向への傾斜操作によって前記カウント値を変更するとよい。従って、誤入力した時の修正を簡単に行なうことができる。
【００１８】
本発明のナビゲーション装置は、請求項１から４のいずれか１項に記載の操作装置を備えている。従って、ナビゲーション装置における種々の入力を簡単に行なうことができる。
【発明の効果】
【００１９】
本発明は、簡単な操作で入力ができる。
【発明を実施するための最良の形態】
【００２０】
次に、添付図面を参照しながら本発明の最良の実施例を説明する。
【実施例１】
【００２１】
まず、図３を参照しながら本実施例の構成を説明する。図３に示すように本実施例の操作装置は、マルチジョグコマンダ１と、このマルチジョグコマンダ１の操作を検出するセンサ部５及びロータリーエンコーダ部６と、センサ部５とロータリーエンコダ部６からの信号を入力して、表示装置８の表示を切り換える制御装置７と、マルチジョグコマンダ１からの操作入力に従って、文字や数字等を表示させる表示装置８とを有している。
【００２２】
マルチジョグコマンダ１は、図３に示すように左右に回動自在なジョグダイヤル２と、このジョグダイヤル２の上面に設けられ、押圧操作とレバー操作が可能な操作レバー３とを有している。ジョグダイヤル２は、略円盤状の形状をしており、所定角度の回動ごとにクリック感を有して所定の位置に静止可能な機構を備えている。また操作レバー３は、スイッチを押し込む押圧操作と、上、下、左、右、左斜上、右斜上、左斜下、右斜下の８方向へのレバー操作が可能な機構を備えている。
【００２３】
ジョグダイアル２の表面には操作用凹部が設けられており（不図示）、ロータリーエンコーダ部６は、このジョグダイアル２の回転に応じたパルスデータを出力する。センサ部５は、操作レバー３の操作方向に対応して８方向にセンサが設けられている。またセンサ部５は、操作レバー３の押圧操作を検出するセンサも有している。
【００２４】
制御装置７は、センサ部５又はロータリーエンコーダ部６からの信号を入力し、予め設定されているプログラムに従って表示装置８の画面を変化させる。例えば、画面をスクロールさせたり、マルチジョグコマンダ１によって指定された文字や数字を表示させる。
【００２５】
本実施例のマルチジョグコマンダ１は、ジョグダイヤル２の左右の所定角度の回動（以下、１回の回動を１ステップと呼ぶ）を値に割り当て、逆方向に回転した時に値を確定するものである。例えば「４」を入力する場合には、右方向に４ステップ回転させ、左方向に１ステップ回転したタイミングで値を確定させる。同様に左方向に４ステップ回転させ、右方向に１ステップの回転で値を確定させることもできる。このような操作によって操作の煩雑を軽減させることができる。
【００２６】
本実施例のマルチジョグコマンダ１により「２８１９」を入力する操作手順を説明する。まず、ジョグダイヤル２を「右に２ステップ」回転させる。制御装置７は、ジョグダイヤル２の「右に２ステップ」の回転を検出して、「２」を表示装置８に表示させる。
【００２７】
次に、ジョグダイヤル２を「左に８ステップ」回転させる。ジョグダイヤル２を左方向に回転させた段階で最初の「２」が確定する。また制御装置７は、ジョグダイヤル２の「左に８ステップ」の回転を検出して、「８」を表示装置８に表示させる。
【００２８】
次に、ジョグダイヤル２を「右に１ステップ」回転させる。ジョグダイヤル２を右方向に回転させた段階で「８」が確定する。また制御装置７は、ジョグダイヤル２の「右に１ステップ」の回転を検出して、「１」を表示装置８に表示させる。
【００２９】
次に、ジョグダイヤル２を「左に９ステップ」回転させる。ジョグダイヤル２を左方向に回転させた段階で「１」が確定する。また制御装置７は、ジョグダイヤル２の「左に９ステップ」の回転を検出して、「９」を表示装置８に表示させる。
【００３０】
最後に、「９」を確定させるために、操作レバー３を押圧することで、「２８１９」が確定する。
【００３１】
このように本実施例は、マルチジョグコマンダ２による入力を簡単に行なうことができる。
【００３２】
次に、「２８１９」と入力しようとして、「２９」と入力した時の修正操作について説明する。まず、上述した手順に従って、ジョグダイヤル２を「右に２ステップ」、「左に９ステップ」回転させる。
【００３３】
次に、誤入力した「９」を「８」に修正するため、操作レバー３を予め決められた所定方向に操作する。例えば右に操作することで、制御装置７は入力された「９」の修正と認識する。
【００３４】
操作レバー３の操作後、値を入れ直す時にはジョグダイヤル２は右に回転させても左に回転させてもよい。例えば、ジョグダイヤル２を「左に８ステップ」回転させることで、制御装置７は「８」を表示装置８に表示させる。以降、上述した手順と同様に「右に１ステップ」、「左に９ステップ」の回転を行い、操作レバー３を押圧することで入力した値が確定する。
【００３５】
なお、上述した説明では、数値の入力をあくまでもジョグダイヤル２によって行なっているが、操作レバー３の操作によって修正できるようにしてもよい。例えば誤って「９」を入力した後に、操作レバー３を左に操作することによって「９」よりも１少ない「８」に変更するようにしてもよい。同様に「０」に変更する時には操作レバー３を右に操作すればよい。
【００３６】
次に、上述したマルチジョグコマンダ１を用いて情報を入力するナビゲーション装置１０について説明する。マルチジョグコマンダ１は、ナビゲーション装置１０に直接搭載されていてもよいし、図４に示すようにリモートコントロール端末９（以下、リモコンと称する）に搭載されていてもよい。
【００３７】
リモコン９は、光を発生、照射するための手段であり、ユーザの操作によって、光の発生をコントロールすることができる。図４に示すナビゲーション装置１０は、このリモコン９からの光をリモコンセンサ２１で受けて、入力された所定の処理を実行する。例えば、センタ装置とネットワーク接続してＶＩＣＳ（Vehicle Information and Communication System）情報などの提供を受けるインターナビの機能を利用する場合には、暗証番号の入力が必要となる。この暗証番号の入力をリモコン９のマルチジョグコマンダ１によって行なう。上述したマルチジョグコマンダ１を用いて数字を入力するので、簡単な操作で暗証番号を入力することができる。
【００３８】
上述した実施例は本発明の好適な実施例である。但し、これに限定されるものではなく、本発明の要旨を逸脱しない範囲内において種々変形実施可能である。例えば、マルチジョグコマンダ１を搭載したナビゲーション装置１０において、ジョグダイヤル２の回転操作に応じて音声を出力するようにしてもよい。例えば、ジョグダイヤル２が左方向に回転した場合には男性の音声で、入力した数値を通知する。逆に右方向に回転した場合には女性の音声で、入力した数値を通知するようにしてもよい。
【図面の簡単な説明】
【００３９】
【図１】マルチジョグコマンダの操作方法を説明するための図である。
【図２】マルチジョグコマンダと表示装置とを示す図である。
【図３】操作装置の構成を示す図である。
【図４】操作装置を搭載したナビゲーション装置の構成を示す図である。
【符号の説明】
【００４０】
１  マルチジョグコマンダ        ２  ジョグダイヤル
３  操作レバー                  ４  カーソル
５  センサ部                    ６  ロータリーエンコーダ部
７  制御装置                    ８  表示装置
９  リモコン                    １０  ナビゲーション装置
【図１】
2006209526.tif 000003
【図２】
2006209526.tif 000004
【図３】
2006209526.tif 000005
【図４】
2006209526.tif 000006